(57)【特許請求の範囲】
【請求項１】
食器類を配置した食器かごを収容する洗浄槽と、前記食器かごの下方に位置する洗浄ノズルと、前記洗浄槽の底部に配設した残滓フィルタとを備え、前記食器かごは、前記残滓フィルタに対応した位置を欠載して開放部を形成し、前記開放部を遮蔽部材により開閉自在に覆い、遮蔽部材を、食器かごの特定の杆に軸支して設け、前記遮蔽部材は回動することにより食器かごに形成した開放部の開閉が可能となる食器洗い機。
【請求項２】
遮蔽部材は、その閉成状態で略水平方向に位置する洗剤投入用の凹部を有する請求項１に記載の食器洗い機。
【発明の詳細な説明】
【０００１】
【発明の属する技術分野】
本発明は、食器類の洗浄を行う食器洗い機に関するものである。
【０００２】
【従来の技術】
従来、この種の食器洗い機は、一般に図３に示すように構成していた。以下、その構成について説明する。
【０００３】
図に示すように、洗浄槽１は、前方に開口部を有し、この開口部を扉２により開閉するとともに、内部に洗浄水を噴射する洗浄ノズル３を回転自在に設けており、洗浄槽１内に食器類４を収納する食器かご５を配置している。洗浄ポンプ６は洗浄ノズル３に洗浄水を給送するものである。洗浄槽１の下部に残滓（食器類４に付着した汚染物を残滓と呼ぶ）を捕集する残滓フィルタ７を設けている。
【０００４】
食器かご５は洗浄槽１に収容された状態で、容易に残滓フィルタ７の着脱ができるように、残滓フィルタ７に対応した部分を欠載した開放部（図示なし）を設けている。残滓フィルタ７は食器かご５を洗浄槽１に収容した状態で容易に着脱可能なように把手部８を設けている。
【０００５】
このように構成した食器洗い機では、洗剤を洗浄槽１内に投入し、洗浄槽１底部の洗浄
水を洗浄ポンプ６により残滓フィルタ７を介して洗浄ノズル３から噴射させることで、食器類の残滓が洗い落とされる。この残滓を含む洗浄水は残滓フィルタ７で濾過されて洗浄ポンプ６へと循環し、再び洗浄ノズル３から噴射されることを繰り返される。運転終了後、残滓フィルタ７を把手部８を掴んで取り出すことによって、食器かご５を洗浄槽１に収容した状態で捕集された残滓を除去することができる。
【０００６】
【発明が解決しようとする課題】
このような従来の構成では、洗浄ノズル３は食器かご５に収容した食器類４にまんべんなく洗浄水を噴射するため、食器かご５に設けた残滓フィルタ７用の開放部では、洗浄水が洗浄槽１および扉２を直接衝突することになり、騒音が大きくなる原因になるという問題を有していた。
【０００７】
本発明は上記従来の課題を解決するもので、洗浄槽に食器かごを収容した状態で残滓フィルタの着脱を可能にし、洗浄ノズルから噴射される洗浄水が洗浄槽および扉への衝突によって発生する騒音を低減することを目的としている。
【０００８】
【課題を解決するための手段】
本発明は上記目的を達成するために、食器類を配置した食器かごを洗浄槽内に収容し、食器かごの下方に洗浄ノズルを位置させ、洗浄槽の底部に残滓フィルタを配設し、食器かごは、残滓フィルタに対応した位置を欠載して開放部を形成し、この開放部を遮蔽部材により開閉自在に覆うよう構成したものである。
【０００９】
これにより、洗浄槽に食器かごを収容した状態で残滓フィルタを着脱することができ、しかも、洗浄ノズルから噴射される洗浄水が洗浄槽および扉への衝突によって発生する騒音を低減することができる。
【００１０】
【発明の実施の形態】
本発明の請求項１に記載の発明は、食器類を配置した食器かごを収容する洗浄槽と、前記食器かごの下方に位置する洗浄ノズルと、前記洗浄槽の底部に配設した残滓フィルタとを備え、前記食器かごは、前記残滓フィルタに対応した位置を欠載して開放部を形成し、前記開放部を遮蔽部材により開閉自在に覆い、遮蔽部材を、食器かごの特定の杆に軸支して設け、前記遮蔽部材は回動することにより食器かごに形成した開放部の開閉が可能となるよう構成したものであり、食器かごに形成した開放部を遮蔽部材により開閉自在に覆うことで、洗浄槽に食器かごを収容した状態で残滓フィルタを着脱することができるとともに、残滓フィルタ用の開放部を遮蔽することができ、洗浄ノズルから噴射される洗浄水が洗浄槽および扉への衝突によって発生する騒音を低減することができる。また、遮蔽部材を回動することで、食器かごに形成した開放部の開閉が可能となり、残滓フィルタの着脱を容易にすることができる。
【００１１】
請求項２に記載の発明は、上記請求項１に記載の発明において、遮蔽部材は、その閉成状態で略水平方向に位置する洗剤投入用の凹部を有するものであり、別部品を設けることなく、部品の集約化をするとともに、効率よく洗剤を溶解し循環することができる。
【００１２】
【実施例】
以下、本発明の一実施例について、図面を参照しながら説明する。
【００１３】
図１に示すように、洗浄槽９は、前方に開口部を有し、この開口部を扉１０により開閉するとともに、内部に洗浄水を噴射する洗浄ノズル１１を回転自在に設けており、洗浄槽９内に食器類１２を収納する食器かご１３を配置している。洗浄槽９の下部に残滓（食器類１２に付着した汚染物を残滓と呼ぶ）を捕集する残滓フィルタ１４を設けている。この残滓フィルタ１４は洗浄槽９の前面の開口部寄りに配置し、食器かご１３を洗浄槽９に収容した状態で容易に着脱可能なように把手部１５を設けている。
【００１４】
食器かご１３は残滓フィルタ１４に対応した位置を欠載して開放部１６を形成している。遮蔽部材１７は、開放部１６を開閉自在に覆うように設け、開放部１６の前端部を構成する線材１８に軸支し、上方に回動するよう設けている。
【００１５】
また、遮蔽部材１７は、図２に示すように、中央部に洗剤投入用の凹部１９を設けている。この洗剤投入用の凹部１９は洗浄槽９の後方に向かって下方に傾斜し、その最下部に洗剤溶出用の孔部２０を設けている。また、洗浄槽９後方側には、着脱可能な爪形状を成す軸受け部２１を設け、洗剤投入用の凹部１９と対象の位置にストッパ部２２を設け、略水平状態を維持できる構成としている。
【００１６】
上記の構成において作用を説明すると、遮蔽部材１７は、運転中はストッパ部２２によって略水平状態を維持し、開放部１６を覆うことができる。また、図２（ｃ）に示すように、線材１８を軸に上方に回動するため、開放部１６を開放することができ、残滓フィルタ１４を容易に着脱することができる。
【００１７】
したがって、洗浄槽９に食器かご１３を収容した状態で、残滓フィルタ１４を着脱することができ、しかも、食器かご１３に形成した残滓フィルタ１４着脱用の開放部１６を遮蔽部材１７により遮蔽し、洗浄ノズル１１から噴射される洗浄水が洗浄槽９および扉１０への衝突によって発生する騒音を低減することができる。
【００１８】
また、遮蔽部材１７に設けた洗剤投入用の凹部１９に洗剤を投入することで、運転中、洗浄ノズル１１から噴射された洗浄水が食器類１２、洗浄槽９などに当たって循環する際に、洗剤投入用の凹部１９に集められ、洗剤を溶かしつつ傾斜に沿って溶出用の孔部２０から残滓フィルタ１４上に溶出するため、効率よく洗剤を溶解し循環することができる。
【００１９】
【発明の効果】
以上のように本発明の請求項１に記載の発明によれば、食器類を配置した食器かごを収容する洗浄槽と、前記食器かごの下方に位置する洗浄ノズルと、前記洗浄槽の底部に配設した残滓フィルタとを備え、前記食器かごは、前記残滓フィルタに対応した位置を欠載して開放部を形成し、前記開放部を遮蔽部材により開閉自在に覆い、遮蔽部材を、食器かごの特定の杆に軸支して設け、前記遮蔽部材は回動することにより食器かごに形成した開放部の開閉が可能となるよう構成したから、食器かごに形成した開放部を遮蔽部材により開閉自在に覆うことで、洗浄槽に食器かごを収容した状態で残滓フィルタを着脱することができ、しかも食器かごに形成した残滓フィルタ用の開放部を遮蔽することができ、洗浄ノズルから噴射される洗浄水が洗浄槽および扉への衝突によって発生する騒音を低減することができる。また、遮蔽部材を、食器かごの特定の杆に軸支して設けたから、遮蔽部材を回動することで、食器かごに形成した開放部の開閉が可能となり、残滓フィルタの着脱を容易にすることができる。
【００２０】
また、請求項２に記載の発明によれば、遮蔽部材は、その閉成状態で略水平方向に位置する洗剤投入用の凹部を有するから、別部品を設けることなく、部品の集約化をするとともに、効率よく洗剤を溶解し循環することができる。
【図面の簡単な説明】
【図１】  本発明の一実施例の食器洗い機の横断面図
【図２】  （ａ）同食器洗い機の遮蔽部材の拡大平面図
（ｂ）同食器洗い機の遮蔽部材の閉成状態のＡ−Ａ断面図
（ｃ）同食器洗い機の遮蔽部材の開成状態のＡ−Ａ断面図
【図３】  従来の食器洗い機の縦断面図
【符号の説明】
９    洗浄槽
１１  洗浄ノズル
１２  食器類
１３  食器かご
１４  残滓フィルタ
１６  開放部
１７  遮蔽部材
【図１】
0004211189.tif 000002
【図２】
0004211189.tif 000003
【図３】
0004211189.tif 000004